(57)【要約】  サウンド生成、サウンド演奏、音楽伴奏、およびユーザーの評価用の電子装置であって、この電子装置は、電子モジュール（１４、６）、命令ユニット（１６）、およびカラオケユニット（５、２０、５０、１３、１０３、１２３）という３つの要素からなるキットで構成され、かつ、カラオケユニットは、調節可能な弾性のベルト（３２１）によってユーザーの身体に固定される。これら３つの要素間での通信は、無線周波、超音波、赤外光、または電気ワイヤ／ケーブルによる手段で実現できる。本装置は、車両内において使用するためのものであり、装置の使用者に対して自由および楽しさの感覚を与えることを目的とする。本発明の技術分野は、「電子工学」に属する。【選択図】図５
2008515008.tif 000002
【特許請求の範囲】
【請求項１】
調節可能な弾性のベルト（３２１）に固定されたカラオケユニット（５、２０、５０）、電子モジュール（６）、および命令ユニット（１６）の３つの要素からなるキットを含むことを特徴とするサウンドの生成、演奏、伴奏および評価用のリズム装置。
【請求項２】
調節可能な弾性のベルト（３２１）に固定されたカラオケユニット（１３、１０３、１２３）、電子モジュール（１４）、および命令ユニット（１６）の３つの要素からなるキットを含むことを特徴とするサウンドの生成、演奏、伴奏および評価用のリズム装置。
【請求項３】
前記カラオケユニット（５、２０、５０）は、有線のイヤフォンまたは有線のイヤフォンとマイクロフォン（１）、無線のイヤフォンまたは無線のイヤフォンとマイクロフォン（４）を介して、直接聴取可能なサウンドを得ることを特徴とする請求項１に記載のサウンドの生成、演奏、伴奏、および評価用のリズム装置。
【請求項４】
前記カラオケユニット（５、２０、５０）は、デジタル化されたサウンドを前記電子モジュール（６）に送信することを特徴とする請求項１に記載のサウンドの生成、演奏、伴奏、および評価用のリズム装置。
【請求項５】
前記電子モジュール（６）は、デジタル化されたサウンドを受信し、これらを再構成し、得られた該サウンドを車両用スピーカー（７）のために増幅可能であることを特徴とする請求項１に記載のサウンドの生成、演奏、伴奏、および評価用のリズム装置。
【請求項６】
前記カラオケユニット（５、２０、５０）は、任意の無線のイヤフォンまたは無線のイヤフォンとマイクロフォンとのセット構成に適合する無線通信システム（４１、６９）を有することを特徴とする請求項１に記載のサウンドの生成、演奏、伴奏、および評価用のリズム装置。
【請求項７】
前記カラオケユニット（５、２０、５０）は、メモリカード（３）に対してデータを読み取りおよび書き込み可能なメモリカード用インターフェイス（３８、６６）を有することを特徴とする請求項１に記載のサウンドの生成、演奏、伴奏、および評価用のリズム装置。
【請求項８】
前記カラオケユニット（５、２０、５０）は、コンピュータ（２）との通信手段を設定可能とするコンピュータ通信インターフェイス（４２、７１）を有することを特徴とする請求項１に記載のサウンドの生成、演奏、伴奏、および評価用のリズム装置。
【請求項９】
前記カラオケユニット（１３、１０３、１２３）は、デジタル化された命令を前記電子モジュール（１４）に送信することを特徴とする請求項２に記載のサウンドの生成、演奏、伴奏、および評価用のリズム装置。
【請求項１０】
前記電子モジュール（１４）は、無線のイヤフォンまたは無線のイヤフォンとマイクロフォン（４）、有線のイヤフォンまたは有線のイヤフォンとマイクロフォン（１）、および車両用スピーカー（７）を介して直接聴取可能なサウンドを得ることを特徴とする請求項２に記載のサウンドの生成、演奏、伴奏、および評価用のリズム装置。
【請求項１１】
前記カラオケユニット（５、２０、５０）および前記電子モジュール（１４）は、楽器のサウンドを生成可能であることを特徴とする請求項３または１０に記載のサウンドの生成、演奏、伴奏、および評価用のリズム装置。
【請求項１２】
前記カラオケユニット（５、２０、５０）および前記電子モジュール（１４）は、演奏中の音楽において音響効果を生成可能であることを特徴とする請求項３または１０に記載のサウンドの生成、演奏、伴奏、および評価用のリズム装置。
【請求項１３】
前記カラオケユニット（５、２０、５０）および前記電子モジュール（１４）は、歌の演奏パラメータを変更可能であることを特徴とする請求項３または１０に記載のサウンドの生成、演奏、伴奏、および評価用のリズム装置。
【請求項１４】
前記カラオケユニット（５、２０、５０）および前記電子モジュール（１４）は、演奏中の音楽に対して音響効果を付加可能であることを特徴とする請求項３または１０に記載のサウンドの生成、演奏、伴奏、および評価用のリズム装置。
【請求項１５】
前記カラオケユニット（５、２０、５０）は、内部ストレージメモリ（３４、６３）またはメモリカード（３）内の歌を演奏可能であることを特徴とする請求項３に記載のサウンドの生成、演奏、伴奏、および評価用のリズム装置。
【請求項１６】
前記電子モジュール（１４）は、メモリカード（３）または光学媒体からの歌を演奏可能であることを特徴とする請求項１０に記載のサウンドの生成、演奏、伴奏、および評価用のリズム装置。
【請求項１７】
前記カラオケユニット（５、２０、５０）および前記電子モジュール（１４）は、複数のサウンドを混合可能であることを特徴とする請求項３または１０に記載のサウンドの生成、演奏、伴奏、および評価用のリズム装置。
【請求項１８】
歌のサウンドを、楽器のサウンド及び／又は音響効果と混合することを特徴とする請求項１７に記載のサウンドの生成、演奏、伴奏、および評価用のリズム装置。
【請求項１９】
修正した歌のサウンドを、楽器のサウンド及び／又は音響効果と混合可能にすることを特徴とする請求項１７に記載のサウンドの生成、演奏、伴奏、および評価用のリズム装置。
【請求項２０】
楽器を、楽器及び／又は声の伴奏に使用することを特徴とする請求項１または２に記載のサウンドの生成、演奏、伴奏、および評価用のリズム装置。
【請求項２１】
前記カラオケユニット（５、２０、５０、１３、１０３、１２３）と前記電子モジュール（１４、６）との間の通信は、通信システム（３７、７０、１０９、１２９、１４７、８９）によって実行されることを特徴とする請求項１または２に記載のサウンドの生成、演奏、伴奏、および評価用のリズム装置。
【請求項２２】
前記命令ユニット（１６）は、前記電子モジュール（１４、６）及び／又は前記カラオケユニット（５、２０、５０、１３、１０３、１２３）との通信が実行可能である通信システム（１６０）を有することを特徴とする請求項１または２に記載のサウンドの生成、演奏、伴奏、および評価用のリズム装置。
【請求項２３】
前記通信システム（３７、７０、１０９、１２９、１４７、８９）は、単方向または双方向に動作可能であることを特徴とする請求項２１または２２に記載のサウンドの生成、演奏、伴奏、および評価用のリズム装置。
【請求項２４】
前記通信システム（３７、７０、１０９、１２９、１４７、８９）は、無線周波、超音波、赤外光、または電気ワイヤ／ケーブル、同様に、これら通信手段の複数の組み合わせも使用可能であることを特徴とする請求項２１または２２に記載のサウンドの生成、演奏、伴奏、および評価用のリズム装置。
【請求項２５】
前記カラオケユニット（２０、１０３）は、ユーザーの手／指の接触／打撃に感応するジョグディスク（１９３）と呼ばれる回転ディスクを有することを特徴とする請求項１または２に記載のサウンドの生成、演奏、伴奏、および評価用のリズム装置。
【請求項２６】
前記カラオケユニット（５０、１２３）は、ユーザーの手／指の接触／打撃に感応する表面またはパッド（２３９）を有することを特徴とする請求項１または２に記載のサウンドの生成、演奏、伴奏、および評価用のリズム装置。
【請求項２７】
前記ジョグディスク（１９３）および前記パッド（２３９）は、圧電タイプ、電界効果等から構成可能な少なくとも１つのトランスデューサ、または、少なくとも１つの圧力、力、振動、もしくは加速度用センサを有することを特徴とする請求項２５または２６に記載のサウンドの生成、演奏、伴奏、および評価用のリズム装置。
【請求項２８】
前記ジョグディスク（１９３）および前記パッド（２３９）は、接触ポイントまたは接触領域が検出可能であることを特徴とする請求項２５または２６に記載のサウンドの生成、演奏、伴奏、および評価用のリズム装置。
【請求項２９】
前記ジョグディスク（１９３）および前記パッド（２３９）は、これらの表面における動き及び／又はこれらの強度が検出可能であることを特徴とする請求項２５または２６に記載のサウンドの生成、演奏、伴奏、および評価用のリズム装置。
【請求項３０】
前記ジョグディスク（１９３）および前記パッド（２３９）は、柔軟なゴムまたはクッション材料からなる表面を有し、該表面は、光に対して半透明または透明に構成可能なことを特徴とする請求項２５または２６に記載のサウンドの生成、演奏、伴奏、および評価用のリズム装置。
【請求項３１】
前記カラオケユニット（５、２０、５０、１３、１０３、１２３）は、ユーザーの身体に固定するためのストラップまたは接着部分またはマジックテープ（登録商標）（３２２、３２３、３２５、３２４）を有する調節可能な弾性のベルト（３２１）に固定されることを特徴とする請求項１または２に記載のサウンドの生成、演奏、伴奏、および評価用のリズム装置。
【請求項３２】
前記カラオケユニット（５、２０、５０、１３、１０３、１２３）は、個人の予定表、計算機、ゲーム、時計、アラームクロック、トラックリスト用エディタ、およびバッテリー用メーターを含むユーザー用アプリケーションを有することを特徴とする請求項１または２に記載のサウンドの生成、演奏、伴奏、および評価用のリズム装置。
【請求項３３】
前記カラオケユニット（５、２０、５０、１３、１０３、１２３）間における通信は、ジョグディスク（１９３）またはパッド（２３９）の表面上に配置されたＬＥＤ（３５、６４、１１１、１３０）を介して、指示及び／又は可視的支援をユーザーに提供することを特徴とする請求項１または２に記載のサウンドの生成、演奏、伴奏、および評価用のリズム装置。
【請求項３４】
前記ＬＥＤ（３５、６４、１１１、１３０）は、複数の点、領域、シンボル、形状、および幾何学的形態を形成して点灯可能であることを特徴とする請求項３３に記載のサウンドの生成、演奏、伴奏、および評価用のリズム装置。
【請求項３５】
楽器または音響効果による歌の伴奏において、ユーザーの能力を評価可能であるという事実を特徴とする請求項１または２に記載のサウンドの生成、演奏、伴奏、および評価用のリズム装置。
【請求項３６】
音楽演奏パラメータの変更において、ユーザーの能力を評価可能であるという事実を特徴とする請求項１または２に記載のサウンドの生成、演奏、伴奏、および評価用のリズム装置。
【請求項３７】
前記評価の基準は、同期性、接触強度、ジョグディスク（１９３）の動き、楽器、楽譜、および使用する効果のタイプを含むことを特徴とする請求項３５または３６に記載のサウンドの生成、演奏、伴奏、および評価用のリズム装置。
【請求項３８】
声による歌の伴奏において、ユーザーの能力を評価可能であるという事実を特徴とする請求項１または２に記載のサウンドの生成、演奏、伴奏、および評価用のリズム装置。
【請求項３９】
前記評価の基準は、ユーザーの声のリズム、同期性、音色、音質、および強度を含むことを特徴とする請求項３８に記載のサウンドの生成、演奏、伴奏、および評価用のリズム装置。
【請求項４０】
前記カラオケユニット（５、２０、５０）は、コンピュータ（２）からのデータ及び／又はファイルが保存可能であることを特徴とする請求項１に記載のサウンドの生成、演奏、伴奏、および評価用のリズム装置。
【請求項４１】
前記カラオケユニット（５、２０、５０）は、データ及び／又はファイルをコンピュータ（２）に供給可能であることを特徴とする請求項１に記載のサウンドの生成、演奏、伴奏、および評価用のリズム装置。
【請求項４２】
前記カラオケユニット（５、２０、５０、１３、１０３、１２３）のパッド（２３９）およびジョグディスク（１９３）は、アプリケーション、メニュー、選択、および他の制御機能を制御可能にすることを特徴とする請求項１または２に記載のサウンドの生成、演奏、伴奏、および評価用のリズム装置。
【発明の詳細な説明】
【技術分野】
【０００１】
本発明は、ユーザーの身体に固定または非固定で、こうして、車両の内部において使用する電子オーディオ装置に関するものである。本発明は、「電子工学」の分野に属する。
【０００２】
２００４年１０月１日付けのブラジル特許出願第０４０４２０９−３号（ＢＲ０４０４２０９−３）、２００５年１０月１日付けのブラジル特許出願第０４０４２６４−６号（ＢＲ０４０４２６４−６）、２００４年１１月５日付けのブラジル特許出願第０４０４８４７−４号（ＢＲ０４０４８４７−４）、および２００５年９月１４日付けの追加証明書プロトコル番号第０１５０５００００５４４号は、本出願人による同一の発明活動を取り扱っており、本特許出願に包含されると共に、これらに対する優先権を主張するものである。なお、この追加は、技術的な改良を付与するもので、本発明の概念を変更するものではない。
【背景技術】
【０００３】
特に大都市における保有車両の増加と交通インフラストラクチャの不備により、恒常的な交通渋滞が発生し、運転者及び／又は乗客は、自身の車両内に長時間にわたって閉じ込められることを余儀なくされる。この現象は、日常の活動から生じるストレスを増大させることに加え、車両内に閉じ込められ隔離される運転者及び／又は乗客に苦痛を与える。
【０００４】
停止した車両内に閉じ込められたとき、乗員は、音楽を聞いたり、新聞や雑誌を読むなど、なんらかの活動に携わるようにして、現実の状況から自身の注意を逸らせて、リラックスすると共に、多少なりとも寛ぐように試みる。しかし、このような運転者及び／又は乗客の音楽の沈静効果にも拘わらず、不満は依然として継続し、彼らの音楽に対する興味も低下する。
【０００５】
本発明のアイデアは、彼らの悩み、苦痛、およびストレスを軽減することにより、楽しくかつ快適な時間を運転者及び／又は乗客に提供することにある。音楽を聴取し、音楽に対して楽器（打楽器、キーボード、弦楽器、又は吹奏楽器）による伴奏をつけるように試みることで、車両の乗員は、伴奏者の活動に対してより大きな関心を払うようになる。また、伴奏活動で良好な評価を得るように試みることにより、伴奏者は、能力改善を追及するようになる。このアイデアを、電子楽器の形で実現する。この電子楽器は、人体に固定することが可能であり、かつ、サウンドを生成、演奏、多重化、混合すると共に、ユーザーの伴奏能力を評価可能にする。
【０００６】
既存の方法と比べた場合の利点は、ユーザーが、まるで楽器を演奏しているかのように、自身の手及び／又は指によって歌に対して伴奏をつけ、かつ、歌が終了したときに、自身の演奏の成否または能力を評価する方法として、最終スコアを受領できるという点にある。これは、自身のスコアの改善を追及するようにユーザーを更に動機付けするように機能し、この結果、彼らを悩ましている問題および状況から彼らの気持を逸らしてくれる。
【発明の開示】
【発明が解決しようとする課題】
【０００７】
本発明の目的は、サウンドを生成、演奏、多重化、混合すると共に、歌に対する楽器及び／又は声の伴奏におけるユーザーの能力を評価可能にする電子装置を、車両内の運転者及び／又は乗客に提供することにある。従って、本発明の装置は、ユーザーが自身の車両内に閉じ込められている状況において、平穏に、楽しめて、熱中すると共に、自発的になれる時間を提供することを目的とする。
【課題を解決するための手段】
【０００８】
本発明における電子装置は、１組のキットからなる。このキットは、ユーザーの身体に固定する目的で調節可能なストラップに固定されるカラオケユニット、電子モジュール、および命令ユニットからなる。車両内で使用する本発明の装置は、方法は異なるが、同一機能を備えた２つの好適な実施例を提示する。
【０００９】
第１の好適な実施例において、カラオケユニットは、処理されたサウンドを電子モジュールに送信し、受信した電子モジュールは、車両のラウドスピーカーを励起するために、受信信号をデコード、変換、および増幅する。即ち、カラオケユニットから送信される取得サウンドを電子モジュール内において再構成する。このカラオケユニットは、電子モジュールおよびラウドスピーカーを使用することなしに機能させることも可能である。何故なら、有線のイヤフォンまたは有線のマイクロフォン付きイヤフォンを、このユニットに直接接続することもでき、または無線のイヤフォンまたは無線のマイクロフォン付きイヤフォンを使用することも可能だからである。
【００１０】
本装置の第２の好適な実施例において、カラオケユニットは、デジタル化された命令だけを電子モジュールに対して送信し、これらの命令は、ユーザー操作に関係する。受信した命令から、電子モジュールは、必要な処理を実行することにより、得られるサウンドを取得し、取得した信号を増幅して車両のラウドスピーカーを介して出力する。
【００１１】
第１の好適な実施例のカラオケユニットおよび第２の好適な実施例の電子モジュールは、楽器（打楽器、キーボード、弦楽器、または吹奏楽器）のサウンドを生成し、音楽を演奏し、演奏パラメータを変更し、音響効果を付加し、複数のサウンドを混合し、ユーザーによる装置の操作を直接または間接的な方法で支援すると共に、楽器または声による伴奏におけるユーザーの能力を評価可能にする。
【００１２】
命令ユニットは、本装置の第１および第２の好適な実施例において機能するが、第２の実施例においては、必須である。この命令ユニットは、ユーザーから観察およびアクセスが可能な面上に置かれる。このユニットにより、本装置で命令を操作できるようになると同時に、選択された楽器のタイプ、演奏中の歌の名前、操作方法、難易度レベル、伴奏のスコアまたは結果などの関連情報が可視化可能となる。
【００１３】
更なる重要な機能は、サウンドの専門家やＤＪと呼ばれるオペレータが使用するものと同一のリソースをユーザーに提供するので、本装置をＤＪ装置として使用可能にすることである。また、ＤＪ装置として、ジョグディスクの使用も不可欠である。
【００１４】
好適な両実施例における本装置の主要な特徴の１つは、楽器及び／又は声による歌の伴奏におけるＤＪとしてのユーザー活動のスコアまたはグレードを終了時点において生成する点にある。何種類かの評価規準を規定することで、異なる難易度レベルが選択可能である。カラオケユニットのジョグディスク上およびパッド上に存在するＬＥＤが、可視化した指示を実現し、表面に接触すべき瞬間および個別の強度を、ポイントまたは領域の形態において表示することにより、演奏活動中のユーザーを支援する。
【００１５】
また、カラオケユニットは、個人の予定表、計算機、ゲーム、時計、アラームクロック、音楽リスト用エディタ、バッテリー用メーターなどのアプリケーションを提供する。また、カラオケユニットの第１の実施例においては、フラッシュストレージメモリまたはメモリカード内に情報を保存することにより、カラオケユニットをコンピュータ用のデータストレージユニットとして使用可能である。
【発明を実施するための最良の形態】
【００１６】
以下、添付図面に示す各実装例に基づいて、本発明について更に詳細に説明する。
【００１７】
図１のブロックダイアグラムは、本発明の目的である電子装置の第１の好適な実施例を概略的に示す。あらゆる使用可能なものと可能な接続とを示している。本装置は、カラオケユニット５、電子モジュール６、および命令ユニット１６という要素を有するキットからなる。「有線のイヤフォンまたは有線のマイクロフォン付きイヤフォン」１、「無線のイヤフォンまたは無線のマイクロフォン付きイヤフォン」４、コンピュータ２、およびメモリカード３などのその他のアクセサリが、本装置の機能を補完する。
【００１８】
本装置は、２つの動作オプションを有する。第１のオプションは、処理したサウンドを、「無線もしくは有線のイヤフォンまたはマイクロフォン付きイヤフォン」９に送信するカラオケユニット５を含む。これを図２に示す。図３に示す第２のオプションにおいて、カラオケユニット５は、処理したサウンドを電子モジュール６に送信する。受信した電子モジュールは、受信サウンドをデコードし、そして車両用スピーカーシステム７から出力するために増幅する。この２ケースのために、命令ユニット１６の使用は、カラオケユニット５または電子モジュール６内において情報の可視化または命令実行するための手段として認められる。
【００１９】
図４のブロックダイアグラムに示す本発明の電子装置の第２の好適な実施例は、カラオケユニット１３、命令ユニット１６、および電子モジュール１４という要素を有するキットから構成される。この実施例において、カラオケユニット１３、電子モジュール１４、命令ユニット１６、および車両用スピーカー７は、本装置の機能に不可欠な形態を構成し、無線イヤフォン４、有線イヤフォン１、コンピュータ２、およびメモリカード３は、本装置の機能を補完するためのアクセサリに相当する。
【００２０】
第１の好適な実施例と比較すると、本装置の第２の好適な実施例における主な相違点は、カラオケユニット１３が電子モジュール１４に命令を送信することである。この電子モジュールは、順番としてこれらの命令を実行し、車両用スピーカー７に送信するための処理されたサウンドを取得する。即ち、電子モジュール１４は、処理ユニットとして機能し、本装置の機能の大部分を実行する。なお、第１の好適な実施例における割り当てと異なるのは、カラオケユニット１３と電子モジュール１４のみである。
【００２１】
図５は、本発明の目的である本装置の第１の好適な実施例におけるカラオケユニット２０の第１の態様の詳細なブロックダイアグラムを示す。このユニットは、アナログおよびデジタル電子回路を具備しており、これらの電子回路は、インストールされているソフトウェアと協働することにより、楽器（打楽器、キーボード、弦楽器、または吹奏楽器）のサウンドを生成するシステムを構成する。このシステムは、音楽を演奏し、音楽的な効果を付加し、音楽演奏の演奏パラメータを変更し、サウンドを混合すると共に、これらの機能のすべてに直接的または間接的に活動するユーザーの楽器及び／又は声の伴奏能力を評価可能にする。
【００２２】
カラオケユニット２０は、充電可能な内部バッテリーから給電されており、この内部バッテリーは、「バッテリーおよび充電管理回路」２１により、ユーザーが、必要に応じて充電することができる。電源回路２４は、残りの回路に給電するために、安定化した電源電圧を供給する。
【００２３】
ジョグディスク表面１９３は、接触センサ２２を有しており、これは、接触の頻度および強度に感応し、ユーザーの手及び／又は指による打撃／接触を検出する。接触センサ２２は、圧電トランスデューサ、電界効果、または、圧力、力、振動、もしくは加速度用センサで実現できる。多くの接触センサをジョグディスク１９３上に分散させることで、接触に対して感応する種々の領域が実現できる。何故なら、接触センサの個々に個別の機能を分散させることができるからである。ジョグディスク１９３内センサの機能の多様性により、ユーザーは、例えば、様々な命令を実行し、または楽器及び／又は異なる音符のサウンドを生成し、パラメータを変更し、または、演奏中の音楽に対して、異なる音響効果を同時に挿入もしくは挿入しないことが可能となる。
【００２４】
１つまたは複数のセンサから結果として得られる信号は、アナログ処理回路２３を通過し、このアナログ処理回路は、この応答信号を増幅および整定する。そして、この結果得られた信号は、アナログ／デジタルコンバータ２５を介してデジタル値に変換される。変換結果で得られるデジタル値は、デジタル信号プロセッサ（ＤＳＰ：Digital Signal Processor）２８に送信される。このＤＳＰは、デジタルサウンド、信号、および通信の本装置に関連する全体的な処理を実行する。ＤＳＰ２８は、２つのタイプのメモリを使用する。１つはＲＡＭメモリ３１で、これはデータを一時的に保存し、もう一つはフラッシュメモリ３２で、これは、前述のファームウェアシステムのソフトウェア、デジタル合成のサウンド、サンプル値、音響効果、および本ユニット機能のために不可欠な他のデータを収容する。
【００２５】
また、ＤＳＰ２８は、ストレージフラッシュメモリ３４のファイル及び／又はデータにアクセスすると共に、音楽演奏、楽器（打楽器、キーボード、弦楽器、または吹奏楽器）サウンドの生成、演奏パラメータの変更、サウンドの混合、音響効果（エコー、遅延、ピッチ、歪など）の付加、音楽及び／又は楽器のカラオケ用ファイルの解釈および実行の役割を担っており、同時に、他の属性に含まれるファイルからユーザーの能力評価も実現する。
【００２６】
ファイルが、音楽またはカラオケ用のファイルであり、かつ、デコードまたは再構成を必要とするとき、ＤＳＰ２８は、デコーダ４０を使用してこれらのタスクを実行する。加えて、ＤＳＰ２８は、メモリカード３に収容されるファイルに対して、メモリカードインターフェイス３８を介してアクセス可能である。オーディオミキサ３３は、音楽、楽器のサウンド、および音響効果と関連して、必要なとき複数のサウンドを混合し、この結果、単一のサウンドを得るようなタスクを有している。混合または得られたサウンドは、通信システム３７、「イヤフォンおよびマイクロフォン付きイヤフォン用インターフェイス」３９、および「イヤフォンおよびマイクロフォン用無線通信システム」４１に送信される。
【００２７】
コンピュータインターフェイス４２は、ファームウェアを更新し、ときにはフラッシュメモリ３４に保存するデータを追加または削除するために、コンピュータと接続する手段を提供する。また、メモリカード３のデータは、メモリカードインターフェイス３８を介して追加または削除される。なお、このコンピュータインターフェイス４２が、ＰＣで使用される大部分の有線通信ポートまたは無線通信システムと互換性を有することを指摘することは重要である。
【００２８】
通信システム３７は、得られたサウンドを電子モジュール６に送信し、電子モジュールから情報を受信し、この情報を命令ユニット１６に送信すると共に、命令ユニットからも命令を受信するように構成される。この通信は、双方向（２方向）であることを必要とし、無線周波、超音波、赤外光、または電気ワイヤ／ケーブル、同時に、これら通信手段の複数の組み合わせによっても実現可能である。
【００２９】
「イヤフォンおよびマイクロフォン用インターフェイス」３９は、得られたデジタルサウンドを適切なアナログサウンドに変換して有線のイヤフォンを励起する。同様な方法で、マイクロフォンのアナログ信号は、デジタル値に変換されて、ＤＳＰ２８に送信される。この後に、ＤＳＰが、必要な処理を実行する。
【００３０】
「イヤフォンおよびマイクロフォン用通信システム」４１は、イヤフォンおよびマイクロフォンからなるリモートシステムとの間において、通信処理にワイヤを使用することなく、サウンドを送信及び／又は受信する目的を有している。この通信システムは、無線のイヤフォンおよびマイクロフォンが、本発明の電子装置のアクセサリであり、任意の無線のイヤフォンまたは、無線のイヤフォンとマイクロフォンとのセットと互換性を有する。
【００３１】
マイクロプロセッサ３０は、ディスプレイ２７、キーボード２６、およびジョグディスク１９３などのユーザーインターフェイス用装置の処理と同時に、ＤＳＰ２８と協働して、残りのシステムコンポーネントを制御する。ディスプレイ２７は、機器の動作状態、メニュー、機能、チャート、および視覚的な他の情報をユーザーに見えるようにする。キーボード２６は、命令入力用として機能し、ユーザーが押下したキー情報を収集する。マイクロプロセッサ３０は、特定のフラッシュメモリ３６を有し、このメモリは、本装置が実行可能な機能およびすべての動作を規定するファームウェアを収容する。ジョグディスクセンサ２９は、ディスクの速度および角度位置を検出する目的を有し、検出値をデジタル信号の形で、マイクロプロセッサ３０に送信する。検出値を受信したマイクロプロセッサは、個別のローカル処理を実行し、命令の形式で情報をＤＳＰ２８に送信する。
【００３２】
ジョグディスクのＬＥＤ（Light Emitting Diode：発光ダイオード）３５は、ジョグディスク１９３の下部に、適切な形態で分散され、これらＬＥＤをマイクロプロセッサ３０が制御する。これらＬＥＤの機能は、実行すべきアクションに関連して光による指示をユーザーに提供することにある。即ち、接触すべきディスクスポットと同時に、個々の接触の瞬間および強度をユーザーに通知する。ディスク表面上で照らされる領域またはポイントは、接触ポイントおよび光の強度に対応する。これは、制御可能であり、かつ印加する力すなわち圧力に付随する。また、これらのＬＥＤの組み合わせは、機能、作用、命令について通知する形状およびシンボルに加えて、矢印、円、正方形、およびその他の幾何学的形状の形態において光による指示を提供すると共に、本装置の使用を支援および改善するものである。
【００３３】
ジョグディスク１９３の重要な特徴は、この表面が柔軟なゴム又はクッション材料から構成され、この表面は光に対して半透明又は透明であり、この結果、ユーザーは、表面の下部に配置されるＬＥＤ２５の光を適切に見ることができることである。例えば、今後のアクションが「最大強度でディスクを時計回りに回転させる」というタイプのものであるとき、矢印の形態に配列されたＬＥＤのグループは、その回転方向および強度に関連した順番で点灯することで、適用する速度を通知する。従って、ユーザーは、矢印の点灯する移動速度とその光の強度を観察することにより、回転方向と回転させるべき速度を知ることができる。ディスクの表面を柔軟なものにする別の理由は、反復的な接触／衝撃に起因して、手及び／又は指が負傷することを防止することにある。
【００３４】
図６は、本発明の目的である本装置の第１の好適な実施例におけるカラオケユニット５０の第２の態様の詳細なブロックダイアグラムを示す。この第２の態様は、ジョグディスク１９３の代わりに、接触に感応するパッドまたは表面２３９を使用するという点が第１の態様と異なる。従って、図６のブロックダイアグラムは、ジョグディスクセンサ２９が除去されると共に、以前はジョグディスク用のものであったＬＥＤがパッド用のＬＥＤ６４になるという点を除いて、図５のものと同一である。また、第１の好適な実施例との関連において、カラオケユニット２０の第１の態様の機能は、この第２の態様のために維持されるが、異なる方法で実現されることを指摘しておくことが重要である。
【００３５】
パッド２３９は、表面の領域またはポイントに付随するいくつかの接触センサ５２と、同時に、表面の下部に分散されるＬＥＤ６４とを有する。このＬＥＤは、機能、作用、命令について通知すると共に本装置の使用を支援及び改善するものである。この態様において、ジョグディスク１９３の回転をシミュレートするように、ユーザーは、自身の手をパッド２３９上で滑らせるまたはドラッグする必要がある。ユーザ動作の速度、移動方向、および強度が、適切に配置されたセンサによって検出され、ジョグディスク１９３と同様に回転方向および速度に変換される。
【００３６】
図７は、本発明の目的である第１の好適な実施例における電子モジュール６のブロックダイアグラムを示す。このモジュールは、カラオケユニット５０、２０、５から得られたサウンドをデジタルデータの形で受信し、受信データをデコードし、アナログ信号に変換し、車両用スピーカー７を駆動させるために、得られた信号を増幅するという目的を有する。
【００３７】
電子モジュール６は、車両のバッテリーから給電され、図７の電源回路８２は、電子モジュールが機能するために必要な電圧を給電する。カラオケユニット５０、２０、５の通信システム８９から送信されたデータは、電子モジュール６の通信システム８９によって受信され、デコーダ９１によってデコードされ、必要に応じてマイクロプロセッサ８７によって処理される。このマイクロプロセッサ８７は、２つのタイプのメモリを使用する。１つは、ＲＡＭメモリ８６で、これは、データを一時的に保存し、もう１つは、フラッシュメモリ８８で、これは、ファームウェアおよびその他の機能を保存する。「オン／オフ」キー３３３およびインジケータ用ＬＥＤ３３２は、キーボード回路９０に付随する。デコードおよび処理されたデータは、マイクロプロセッサ８７から「Ｄ／Ａコンバータおよびアクティブフィルタ」８５に送信され、受信したデジタルデータに対応するアナログ信号が生成される。即ち、カラオケユニット５０、２０、５から送信される取得サウンドは電子モジュール６内において再構成される。次いで、「Ｄ／Ａコンバータおよびアクティブフィルタ」８５で正規化された出力信号は、音量制御回路８４を通過し、音量制御回路は、この信号の振幅を整定する。最後に、この振幅整定された信号は、車両用スピーカー７を介して直接出力するように、オーディオ用パワーアンプ８１によって増幅される。
【００３８】
図８は、本発明の目的である本装置の第２の好適な実施例におけるカラオケユニット１０３の第３の態様のブロックダイアグラムを示す。このユニットは、充電可能な内部バッテリーと、「バッテリーおよび充電管理回路」１０２とを有しており、電源回路１０５が、安定化した電圧を残りの回路に給電する分担を担っている。
【００３９】
ジョグディスク１９３は、少なくとも１つの接触センサ１００を有しており、これは、接触の頻度と強度を感応し、ユーザーの手及び／又は指による打撃／接触を検出する。接触センサ１００は、圧電トランスデューサ、電界効果、または、圧力、力、振動、もしくは加速度用センサで実現できる。このセンサ信号は、信号を整定するアナログ処理回路１０１を通過し、通過後の取得信号は、Ａ／Ｄコンバータ１０４に送信される。このコンバータが、アナログ信号を、マイクロプロセッサ１０６が処理できるデジタル値に変換する。
【００４０】
多数の接触センサをジョグディスク１９３上に分散させることにより、種々の接触反応領域を提供し、この個々のセンサに個別の機能を割り当てることが可能となる。
【００４１】
ジョグディスクのセンサ１１０は、ディスクの回転速度および角度位置を検出する目的を有しており、検出値をデジタル符号で供給し、マイクロプロセッサ１０６に送信する。カラオケユニット１０３のすべてのキーを含むキーボード１０８の処理も、マイクロプロセッサ１０６によって実行される。また、このマイクロプロセッサは、情報をディスプレイに対しても送信する。
【００４２】
ユーザーによって実行される命令および制御は、マイクロプロセッサ１０６によって処理され、通信システム１０９によって電子モジュール６に送信される。同様な経路で、歌、音楽的効果、ファイルおよび他に関する特定情報は、カラオケユニット１０３に送信される。この通信システム１０９は、無線周波、超音波、赤外光、または電気ワイヤ／ケーブルを使用すると共に、これら通信の複数の手段を組み合わせることも可能である。
【００４３】
ジョグディスクのＬＥＤすなわち、ジョグホイールセンサのＬＥＤ１１１は、ジョグディスク１９３の表面上に好適な形態で分散しており、マイクロプロセッサ１０６によって制御される。本装置の第１の好適な実施例におけるカラオケユニットの第１の態様１０３と同様に、これらのＬＥＤの機能は、実行すべきアクションに付随して光による指示をユーザーに提供することにある。即ち、接触すべきディスクスポット、同時に、個々の接触の瞬間および強度についてユーザーに通知する。
【００４４】
本装置の第２の好適な実施例における、カラオケユニットの第４でかつ最後の態様１２３を、図９のブロックダイアグラムに特別詳細に示す。このユニットは、ジョグディスク１９３の代わりにパッド２３９にしたこと、およびこのパッド２３９の表面上に分散されるＬＥＤ１３０が、第３の態様と異なる。
【００４５】
図１０は、本発明の目的である本装置の第２の好適な実施例における電子モジュール１４のブロックダイアグラムを示す。この電子モジュールの目的は、カラオケユニット１３、１０３、１２３から命令を受信し、受信した命令をデコードし、サウンドおよび音響効果を生成し、歌を演奏し、複数のサウンドを混合し、得られたサウンドを車両用スピーカー７を介して出力するために増幅すると共に、ユーザーの能力も評価する。電子モジュール１４の電源は、車両のバッテリーから給電され、電源回路１４８が、この電子モジュールのすべての装置に対して安定化した電圧を供給する。
【００４６】
通信システム１４７は、カラオケユニット１３、１０３、１２３の通信システムと類似でかつ互換性を有し、カラオケユニットから命令を受信してマイクロプロセッサ１５１に送信する。マイクロプロセッサは、これらの命令を解釈して実行する。マイクロプロセッサ１５１は、キーボード１５６から命令を受信し、ドライバ１５０を介して光学媒体読取装置１４９を制御し、この装置からのデータを受信する。マイクロプロセッサは、これら受信データをローカルに処理し、そしてＤＳＰ１４５に当該データを伝達する。マイクロプロセッサ１５１のフラッシュメモリ１５７は、本システムのファームウェアおよびカスタマイズされた情報を保存する。
【００４７】
ＤＳＰ１４５は、例えば、音楽の演奏、楽器（打楽器、キーボード、弦楽器、又は吹奏楽器）のサウンド生成、演奏パラメータの変更、サウンドの混合、音響効果（エコー、遅延、速度、歪など）の付加、音楽及び／又は楽器のカラオケサウンドのファイルの解釈および実行、同時に、これらファイルの他の属性から行うユーザーの能力評価の処理を担う。加えて、ＤＳＰ１４５は、メモリカード用のインターフェイス１５３を介して、メモリカード３内に収容されるデータ（歌、ファイル、サンプル、声および楽器によるカラオケのためのパターンなど）にアクセスすることができる。歌またはサンプルなどのデータをデコードするために、ＤＳＰ１４５は、デコーダ１５５を使用する。
【００４８】
ＤＳＰ１４５は、２つのタイプのメモリを使用する。１つは、ＲＡＭメモリ１４６で、これは、データを一時的に格納する。もう一つは、フラッシュメモリ１５２で、ファームウェア、楽器による音楽のサウンド、サンプル値、音響効果、および、必要に応じて、本ユニットの機能のためのコードを収容する。
【００４９】
コンピュータインターフェイス１５４は、ファームウェアを更新、または、フラッシュメモリに保存されるデータをメモリカードデータ３に追加または削除するために、コンピュータとの通信手段を提供する。このインターフェイスは、ＰＣで使用される有線または無線の通信システムの大部分の通信ポートと互換性を有する。
【００５０】
ＤＳＰ１４５から送信されたサウンドは、「Ｄ／Ａコンバータおよびアクティブフィルタ」１４４によってアナログ信号に変換される。複数のアナログチャネルを使用することが可能であり、また、オーディオミキサ１４３によって混合することも可能である。従って、１つ以上の歌のサウンドを、例えば、１つの楽器のサウンド及び／又は音響効果と混合することが可能である。このミキサから結果として得られるサウンドは、音量制御回路１４２によって振幅が調節され、オーディオ用パワーアンプ１４１に伝送され、このパワーアンプが、車両用スピーカー７に必要なパワーを供給する。
【００５１】
図１１に、命令ユニット１６のブロックダイアグラムを示すが、このユニットは、本装置の第１および第２の好適な実施例と互換性を有する電子モジュール６、１４と動作を共にする。このユニットは、好ましくは、キーボード１６３によって本装置に更なる制御を実現すると共に、追加情報を本装置のディスプレイ１６２上に表示するために、電子モジュール６、１４と接続する。このユニットに供給するエネルギーは、車両のバッテリーまたは電子モジュール６、１４から直接給電することが可能である。このとき、電源回路１６４が、本ユニットの残りの回路に給電するために、必要とする安定化した電源電圧を供給する。
【００５２】
マイクロプロセッサ１６１は、データを送信および受信する処理を行うと同時に、命令ユニット１６の残りの各装置を制御する。通信システム１６０は、電子モジュールの通信システム８９、１４７およびカラオケユニットの通信システム３７、７０、１０９、１２９と等価であり、かつ互換性を有する。従って、この通信システム１６０は、双方向に通信し、無線周波、超音波、赤外光、または電気ワイヤ／ケーブルを使用可能であり、同時に、これら通信の複数の手段を組み合わせることも可能である。
【００５３】
図１２は、本発明の第１の好適な実施例のカラオケユニット２０の第１の態様における正面１８１、上部面２２０、および下部面２２３を示す。上部面２２０上には、有線のイヤフォンおよびマイクロフォン用のコネクタ２２１と、本ユニットをオン／オフするためのボタン２２２が存在する。下部面２２３は、充電器の挿入用コネクタ２２４、メモリカードの挿入口２２５、およびコンピュータ用コネクタ２２６を有する。
【００５４】
主制御部、命令部、およびディスプレイ２０４は、正面１８１上に存在する。グラフィックディスプレイ２０４は、ユーザーが、メニューおよびサブメニュー、歌の名前、演奏リスト、音量設定、グラフィックイコライザ、バッテリー用メーター、通信モニタ、伴奏信号、多様なテキスト、および種々のアイコンを見ることを可能にし、同時に図式的なインターフェイスを有すアプリケーションを可視化する。
【００５５】
楽器（打楽器、キーボード、弦楽器、または吹奏楽器）の音量または歌に混合された音響効果の強度は、音量キー１８２、１８０によって調節可能である。主音量、歌に混合されるサウンドに対応する音量は、ミキサの音量キー２０２、２０３によって調節可能である。
【００５６】
「時間」キー１８４は、演奏時の演奏ディスプレイモードを変更する機能を有しており、これを変更することにより、残り時間または演奏された時間を表示するように変更可能である。「継続」キー２０１は、リピート機能を起動させるものであり、この機能は、演奏終了のときに実行され、再度そのリストの最初から演奏を実行する。音楽の基本的な制御機能用は、以下のキーである。「停止」１８６は、演奏を中止する。「早送り／次の音楽」１８７は、演奏トラックを早送りする、または次のトラックにジャンプする。「巻戻し／前回の音楽」１８８は、演奏トラックを巻戻す、または前回演奏のトラックを演奏する。および「演奏／休止」１８９は、選択した音楽の演奏を開始する、またはこの演奏を休止する。「メニュー」キー２１０およびブラウジングキー（browsing key）２１４、２０９、２１１、２０８からは、一般にシステムのサブメニューにアクセスし、アプリケーションおよびファンクション用キーを起動させることが可能となる。
【００５７】
ジョグディスク１９３は、本装置において種々の機能を実現可能にする。この回転ディスクは、従来のターンテーブルをまねるものであり、これ自体では回転しないが、演奏中の音楽に音響効果を作用させることができる。ジョグディスク１９３を時計回りに回転させることにより、機能又は命令が前進的に起動され、これを反時計回りに回転させることにより、機能又は命令の後退方向の起動が実現される。ユーザーの手及び／又は指によってディスクが回転する速度も反映される。加えて、ジョグディスク１９３は、手及び／又は指による接触／打撃に対して感応し、かつ、例えば、歌の伴奏に使用することもできる。
【００５８】
ＤＪとして活動することで、ユーザーは、種々の機能およびリソースを有することになる。これらのリソースの中の１つが、歌の演奏を開始するためのスポットをマーキングする役割を担うキュー機能である。これを実行するには、「演奏／休止」１８９を押下することで歌を休止し、ジョグディスク１９３を回転させることで正確なポイントを設定し、そして、「キュー」キー１９１を押下する必要がある。ＬＥＤ１９０は、選択の間フラッシュし、設定ポイントの記憶が完了したときにオン状態となる。ユーザーが、記憶されたポイントに戻ることを希望するとき、ユーザは、「キュー」キー１９１を再度押下するだけでよい。他の類似の機能が「フライキュー」１９２によって付与される。これは、歌の演奏にポイントをマーキングするものであって、この結果、「キュー」キー１９１によってマーキングされたポイントから歌を再開可能にする。「キュー設定」キー２０６を介して種々の演奏スポットを記憶させ、かつ、「キュー選択」キー１８３を使用して選択することが可能となる。
【００５９】
本装置の更なる重要な機能は、音楽の演奏速度の設定（または、ピッチ機能）である。「ピッチ」キー１９９を介して速度を選択するが、これは、「ＢＰＭ／ピッチ」キー１９５、１９６、スライドコントロール１９４、またはジョグディスク１９３によって実行可能である。ピッチ機能が起動されたとき、ＬＥＤ１９８は点灯状態となる。「ＢＰＭ／ピッチ」キー１９５、１９６は、音楽の１分当たりのビート数（低音および急発進のトーン）を規定または表示する第２の機能を有する。速度レベルは、ピッチ機能と、「マスターテンポ」キー１９７の押下によって設定可能である。このとき、速度は、通常の演奏速度と見なされる。
【００６０】
歌の期間を、絶え間なく演奏するようにマーキングすることは可能であり、または、音楽に混合させることも可能である。開始ポイントを、「キュー」１９１または「フライキュー」キー１９２を使用してマーキングし、そして、終了ポイントを、「キューＢ／エグジット」キー２００を使用してマーキングすることにより、期間設定する。そしてユーザーは、「ループ」キー２１２を押下すると、絶え間なく（即ち、ループ状態で）演奏可能となり、または、「サンプラ」キー２１３を使用することにより、この期間、歌を音楽に混合させることが可能となる。上記の機能から抜け出すには、「キューＢ／エグジット」キー２００を押下することが必要で、押下により通常の音楽演奏モードに戻る。
【００６１】
カラオケユニット５、２０、５０は、打楽器、キーボード、弦楽器、または吹奏楽器などの数種類の楽器のサウンドを生成することが可能であり、楽器の種類は、「楽器選択」キー２０７を介して選択することができる。所定の楽器を選択したあと、そのサウンドを生成するのは、ユーザーの手または指でジョグディスク１９３の表面を打撃するのみでよい。この打撃の強度が、楽器の音響強度またはその音符に影響を及ぼすことになる。加えて、演奏中の音楽における種々のタイプの歪に加えて、スクラッチ、エコー、周波数フィルタ、演奏遅延、停止、または漸進的な演奏などの音響効果を生成することも可能である。この効果のタイプの選択は、「効果選択」キー２０５によって実行される。
【００６２】
「レベル」キー１８５を介して、ユーザーの能力評価の難易度レベルを、設定することができる。４段階のレベルにすれば、支援を必要とする初心者、容易、中程度、困難となる。
【００６３】
図１３は、第１の好適な実施例において、カラオケユニット５０の第２の態様における正面２４４、右側面２４７、左側面２３４、上部面２３２、および下部面２４０を示す。
【００６４】
上部面２３２に、イヤフォンおよびマイクロフォン用のコネクタ２３０と、本ユニットをオン／オフするためのボタン２３１が存在する。下部面１４０は、充電器用コネクタ２４１、メモリカードの挿入口２４２、およびコンピュータインターフェイス用コネクタ２４３を有する。
【００６５】
音楽演奏制御キーは、左側面２３４にあり、これは、「停止」キー２３７、「演奏／休止」２３６、「早送り／次の音楽」２３８、および「巻戻し／前回の音楽」２３５からなる。右側面２４７上に、楽器選択（打楽器、キーボード、弦楽器、または吹奏楽器）用の「楽器選択」２４６、音響効果選択用の「効果選択」２４８の各キー、および選択されたパラメータ値を変更するための２つの矢印２４９、２４５が存在する。
【００６６】
正面２４４は、グラフィックディスプレイ２３３、パッド２３９、および「メニュー」キー２５０を有しており、この「メニュー」キーは、ディスプレイ２３３上に表示されるメニューを起動し、制御する。また、パッド２３９を使用して命令することも可能であり、このパッドを、メニューのメニュー選択動作に使用し、選択された機能を起動させることも可能である。
【００６７】
本発明の目的である本装置の第２の好適な実施例に関連して、図１４は、カラオケユニット１０３の第３の態様における正面２６５、上部面２６１、および下部面２６９を示す。上部面２６１は、本ユニット用の「オン／オフ」ボタン２６０を有し、一方、下部面２６９は、充電器用コネクタ２７０を有する。
【００６８】
正面２６５には、ジョグディスク１９３および制御キーが存在する。演奏制御キーは、「停止」キー２７１、「演奏／休止」２６８、「早送り／次の音楽」２７２、および「巻戻し／前回の音楽」２６７を含む。最も一般的なＤＪ機能は、「フライキュー」２６４、「ピッチ」２６３、「キュー」２７４、および「スクラッチ」２７３の各キーによって表される。得られるサウンドの音量は、音量用矢印２７５、２６２によって調節可能である。
【００６９】
第２の好適な実施例の機能は、命令ユニット１６を使用することで補完され、図１５に、この正面２８１を詳細に示す。このユニットは、ユーザーが表示された情報２８０を見て、そして、容易にキーを操作できるように、複数ある窓の１つ、ハンドルの中央、または最も適切な表面の上にある、車両のパネル表面に固定することができる。メニューは、「メニュー」キー２８２を押下することによって起動可能であり、これらのメニューが提供するオプションが選択されているとき、ブラウジングキー２８４、２８５、２８６、２８３が支援する。
【００７０】
図１６は、本装置の第１の好適な実施例に関連して、カラオケユニット１２３の第４の態様における正面３０４、上部面３０２、および下部面３０８を示す。上部面３０２は、本ユニット用の「オン／オフ」ボタン３００を有し、下部面３０８は、内部バッテリーを充電するためのコネクタ３０９を有する。
【００７１】
パッド２３９および制御キーが、正面３０４に配置される。演奏制御キーは、「停止」３１０、「演奏／休止」３０７、「早送り／次の音楽」３１１、および「巻戻し／前回の音楽」３０６からなる。「効果選択」キー３０３により、音響効果およびＤＪ機能が選択可能であり、「楽器選択」キー３１２は、楽器（打楽器、キーボード、弦楽器、又は吹奏楽器）を選択する。マスター音、すなわち得られるサウンドの音量は、音量の矢印３１３、３０１によって調節可能である。パッド２３９は、機能選択の際に使用することも可能であり、メニューをブラウジングする際に支援することもできる。
【００７２】
図１７は、カラオケユニット２０の第１の態様の透視図を示しており、カラオケユニットは、調節可能な弾性のベルト３２１によって固定される。このベルトは、ストラップまたは接着部分またはマジックテープ（登録商標）３２２、３２３、３２５、３２４を有しており、これらは、このユニットをユーザーの身体に固定および適用させるときに有用である。
【００７３】
本装置の第１の好適な実施例における電子モジュール６を、図１８の透視図に示す。このモジュールは、表面上に換気孔３３１を有し、電気ワイヤ／ケーブル３３０が背後から出て電源および車両用スピーカー７との接続を実現している。モジュールの「オン／オフ」ボタン３３３が、電源ＬＥＤ３３２と共に正面に存在する。
【００７４】
図１９は、本発明による本装置の第２の好適な実施例における電子モジュール１４の透視図を示す。このモジュールは、表面上に換気孔３３１を有し、電気ワイヤ／ケーブル３３０が背後から出て電源および車両用スピーカー７との接続を実現している。正面には、光学媒体の挿入口３３５、光学媒体取り出し用ボタン３３６、メモリカードの挿入口３３７、本モジュール用の「オン／オフ」ボタン３３３、および電源表示用ＬＥＤ３３２が存在する。
【００７５】
カラオケユニット５０の第２の態様の透視図を図２０に示す。このユニットは、調節可能な弾性のベルト３２１に固定される。図２１は、カラオケユニットの第３の態様１０３の透視図を示し、このユニットは、調節可能な弾性のベルト３２１によって固定される。カラオケユニット１２３の第４でかつ最終の態様を、図２２の透視図に示す。このユニットは、調節可能な弾性のベルト３２１に固定される。
【００７６】
カラオケユニットのすべての態様２０、５０、１０３、１２３に存在する調節可能な弾性のベルト３２１は、ユーザーの身体上に安全かつ適切にエルゴメトリックになる配置を実現できるストラップまたは接着部分またはマジックテープ（登録商標）３２２、３２３、３２５、３２４を有する。図２３は、命令ユニット１６の透視図を示す。このユニットは、車両の内部表面に固定、接着、または挿入可能である。
【００７７】
カラオケユニット５、１３、２０、５０、１０３、１２３の４つの態様において、カラオケユニットは、ディスプレイ、キー、および接触用表面（パッドまたはジョグディスク）を有するボックスからなり、印刷回路基板、電子コンポーネント、通信モジュール、充電可能なバッテリー、接続ワイヤ、機械的な支持部、および電子的および機械的な構造を構成するためのその他の要素を内部に有する。同様な方法にて、好適な両方の実施例６、１４である電子モジュールも、電子コンポーネントを搭載する印刷回路基板、光学媒体読取装置、メモリカード用ソケット、電気ワイヤ／ケーブル、および機械部品を特に保護するためのボックスまたはケーシング（casing）からなる。
【００７８】
また、本発明の装置は、ゲーム、予定表、カレンダー、演奏リスト用エディタ、サウンド設定、先進形態、ファイル用エディタ、コンタクトリスト、アラームクロック、および時計などのアプリケーションを、ユーザーに提供する。これらのアプリケーションは、好ましくは、カラオケユニット５、１３、２０、５０、１０３、１２３に、特にユニットのファームウェア内に存在する。
【００７９】
パッド２３９およびジョグディスク１９３の両方において、これらの表面が、柔軟なゴムまたはクッション材料から構成され、しかも光に対して半透明または透明であり、この結果、ユーザーは、表面の下部に配置されたＬＥＤの光を適切に見ることが可能であることを指摘しておく。
【００８０】
ユーザーは、利用可能な制御部を介してカラオケユニット５、１３、２０、５０、１０３、１２３と対話することにより、楽器及び／又は声による歌の演奏を実行しまたはこれに対して音響効果を適用し、かつ、歌の終了時点において、自身の能力に対応したスコアを受け取ることになる。楽器による伴奏または音響効果を使用するとき、評価は、演奏中における同期性、接触強度、ジョグディスク１９３の動き、使用した楽器、使用した楽譜、および効果のタイプを考慮する。ジョグディスク１９３およびカラオケユニット５、１３、２０、５０、１０３、１２３の内蔵機能を介して、ユーザーは、ＤＪの役割を引き受けることができ、自身のＤＪ能力を評価可能である。これらの機能に加えて、マイクロフォンの使用により、本装置をボーカル用カラオケとして使用することができ、歌唱の際のユーザーの声のリズム、同期性、音色、音質、および強度を評価することも可能である。評価するパラメータの標準基準は、歌を含むファイルまたは特定のカラオケファイル内に存在する。これらのパラメータは、ユーザーの能力に付随してスコアの計算に使用され、ユーザーの能力がグラフィックディスプレイ２０４、２３２、２８０上に表示される。
【００８１】
難易度レベルは、ユーザーの能力評価における所定の基準を確立するための機能を有する。評価は、支援を必要とする初心者、容易、中程度、および困難という４つのレベルに分割される。演奏終了後に、評価パラメータが、異なる重みを受信すると、規定されたレベルにしたがって異なる標準基準が選択される。
【図面の簡単な説明】
【００８２】
【図１】本発明の目的である第１の好適な実施例における電子装置の可能な要素を有するブロックダイアグラムである。
【図２】本発明の目的である第１の好適な実施例における電子装置の使用法の第１構成を示すブロックダイアグラムである。
【図３】本発明の目的である第１の好適な実施例における電子装置の使用法の第２構成を示すブロックダイアグラムである。
【図４】本発明の目的である第２の好適な実施例における電子装置のすべての可能な要素を有するブロックダイアグラムである。
【図５】本発明の目的である電子装置の第１の好適な実施例における第１のカラオケユニットの態様を示すブロックダイアグラムである。
【図６】本発明の目的である電子装置の第１の好適な実施例における第２のカラオケユニットの態様を示すブロックダイアグラムである。
【図７】本発明の目的である電子装置の第１の好適な実施例における電子モジュールを示すブロックダイアグラムである。
【図８】本発明の目的である電子装置の第２の好適な実施例における第３のカラオケユニットの態様を示すブロックダイアグラムである。
【図９】本発明の目的である電子装置の第２の好適な実施例における第４のカラオケユニットの態様を示すブロックダイアグラムである。
【図１０】本発明の目的である電子装置の第２の好適な実施例における電子モジュールを示すブロックダイアグラムである。
【図１１】本発明の目的である命令ユニットのブロックダイアグラムである。
【図１２】本発明の目的である電子装置の第１の好適な実施例におけるカラオケユニットの第１の態様の正面、上部面、および下部面の図である。
【図１３】本発明の目的である電子装置の第１の好適な実施例におけるカラオケユニットの第２の態様の正面、上部面、下部面、右側面、および左側面の図である。
【図１４】本発明の目的である電子装置の第２の好適な実施例におけるカラオケユニットの第３の態様の正面、上部面、および下部面の図である。
【図１５】本発明の目的である命令ユニット正面の図である。
【図１６】本発明の目的である電子装置の第２の好適な実施例におけるカラオケユニットの第４の態様の正面、上部面、および下部面の図である。
【図１７】本発明の目的である電子装置の第１の好適な実施例におけるその調節可能な弾性のストラップに固定されたカラオケユニットの第１の態様の透視図である。
【図１８】本発明の目的である電子装置の第１の好適な実施例における電子モジュールの透視図である。
【図１９】本発明の目的である電子装置の第２の好適な実施例における電子モジュールの透視図である。
【図２０】本発明の目的である電子装置の第１の好適な実施例における、調節可能な弾性のストラップに固定されたカラオケユニットの第２の態様の透視図である。
【図２１】本発明の目的である電子装置の第２の好適な実施例における、調節可能な弾性のストラップに固定されたカラオケユニットの第３の態様の透視図である。
【図２２】本発明の目的である電子装置の第２の好適な実施例における、調節可能な弾性のストラップに固定されたカラオケユニットの第４の態様の透視図である。
【図２３】本発明の目的である命令ユニットの透視図である。
【図１】
2008515008.tif 000003
【図２】
2008515008.tif 000004
【図３】
2008515008.tif 000005
【図４】
2008515008.tif 000006
【図５】
2008515008.tif 000007
【図６】
2008515008.tif 000008
【図７】
2008515008.tif 000009
【図８】
2008515008.tif 000010
【図９】
2008515008.tif 000011
【図１０】
2008515008.tif 000012
【図１１】
2008515008.tif 000013
【図１２】
2008515008.tif 000014
【図１３】
2008515008.tif 000015
【図１４】
2008515008.tif 000016
【図１５】
2008515008.tif 000017
【図１６】
2008515008.tif 000018
【図１７】
2008515008.tif 000019
【図１８】
2008515008.tif 000020
【図１９】
2008515008.tif 000021
【図２０】
2008515008.tif 000022
【図２１】
2008515008.tif 000023
【図２２】
2008515008.tif 000024
【図２３】
2008515008.tif 000025
【国際調査報告】
2008515008.tif 000026
2008515008.tif 000027
2008515008.tif 000028